(57)【特許請求の範囲】
【請求項１】
被写体を撮像する撮像手段と、
前記撮像手段により撮像される前記被写体と前記撮像手段との距離に応じて変化する被写体部分のサイズを検出するサイズ検出手段と、
前記サイズ検出手段により検出される前記被写体部分のサイズと比較される基準サイズが記憶されている記憶手段と、
前記サイズ検出手段により検出された前記被写体部分のサイズと、前記記憶手段に記憶されている前記基準サイズとを比較する比較手段と、
前記比較手段の比較結果より得られた前記被写体部分のサイズが前記基準サイズに達していない第１の状態と、前記基準サイズに達している第２の状態との間の移行回数を計測する計測手段と、
を備えることを特徴とする運動回数計測装置。
【請求項２】
前記計測手段は、前記比較手段の比較結果より得られた前記被写体部分のサイズが前記基準サイズと一致していない第１の状態と、前記基準サイズと一致した第２の状態との間の移行回数を計測する、
ことを特徴とする請求項１に記載の運動回数計測装置。
【請求項３】
前記撮像手段により撮像される前記被写体に基づいて、前記基準サイズを設定するサイズ設定手段と、
前記サイズ設定手段により設定された前記基準サイズを前記記憶手段に記憶させる記憶制御手段と、
を更に備えることを特徴とする請求項１又は２に記載の運動回数計測装置。
【請求項４】
前記撮像手段により撮像された前記被写体を表示手段に表示させる表示制御手段と、
前記被写体部分の周囲に枠画像を設定するフレーム設定手段と、
をさらに備え、
前記表示制御手段は、前記撮像された前記被写体に前記フレーム設定手段により設定された枠画像を同時に前記表示手段に表示させる、
ことを特徴とする請求項１から３の何れか１項に記載の運動回数計測装置。
【請求項５】
前記表示制御手段は、前記計測手段による計測結果を前記表示手段に表示させる、
ことを特徴とする請求項４に記載の運動回数計測装置。
【請求項６】
前記表示制御手段は、前記計測手段による計測結果と前記被写体部分とを前記表示手段に表示させる、
ことを特徴とする請求項４に記載の運動回数計測装置。
【請求項７】
前記サイズ検出手段は、前記被写体部分のサイズとして顔領域のサイズを検出する、
ことを特徴とする請求項１から６の何れか１項に記載の運動回数計測装置。
【請求項８】
被写体を撮像する撮像手段と、前記撮像手段により撮像される前記被写体の被写体部分のサイズと比較される基準サイズが記憶されている記憶手段と、を備えた運動回数計測装置による運動回数計測方法において、
前記撮像手段により撮像される前記被写体と前記撮像手段との距離に応じて変化する前記被写体部分のサイズを検出するサイズ検出ステップと、
前記サイズ検出ステップにより検出された前記被写体部分のサイズと、前記記憶手段に記憶されている前記基準サイズとを比較する比較ステップと、
前記比較ステップの比較結果より得られた前記被写体部分のサイズが前記基準サイズに達していない第１の状態と、前記基準サイズに達している第２の状態との間の移行回数を計測する計測ステップと、
を有することを特徴とする運動回数計測方法。
【請求項９】
被写体を撮像する撮像手段を備えた運動回数計測装置のコンピュータを、
前記撮像手段により撮像される前記被写体と前記撮像手段との距離に応じて変化する被写体部分のサイズを検出するサイズ検出手段、
前記サイズ検出手段により検出される前記被写体部分のサイズと比較する基準サイズが記憶されている記憶手段、
前記サイズ検出手段により検出された前記被写体部分のサイズと、前記記憶手段に記憶されている前記基準サイズとを比較する比較手段、
前記比較手段の比較結果より得られた前記被写体部分のサイズが前記基準サイズに達していない第１の状態と、前記基準サイズに達している第２の状態との間の移行回数を計測する計測手段、
として機能させることを特徴とするプログラム。
【発明の詳細な説明】
【技術分野】
【０００１】
この発明は、運動の回数の情報を記録する運動回数計測装置、運動回数計測方法およびプログラムに関する。
【背景技術】
【０００２】
筋力トレーニングなどの繰り返し運動を行う場合、その回数を知るために、使用者は、頭の中で繰り返した回数を数え続ける必要がある。しかしながら、別の思考が頭に浮かんだり、回数の記憶間違いや、数えそこなったりすることが原因で、運動回数を正確にカウントすることは困難であることが多い。
【０００３】
そこで、従来から、筋力トレーニングなどの繰り返し運動の反復回数をカウントするためのカウント装置が開発されてきた。
特許文献１には、概ねプラスチック、ゴム材料または発泡材料の外観であり、装置本体とその上側のカウンタ組立体で構成された腕立て伏せ運動用カウント装置が開示されている。運動中の使用者が、例えば使用者の胸やあごによってカウンタ組立体上部の発泡体リングを押し下げると、運動の経過時間と反復回数が記録される様に構成されている。
【先行技術文献】
【特許文献】
【０００４】
【特許文献１】特開２０１０−１１０５８０号
【発明の概要】
【発明が解決しようとする課題】
【０００５】
しかしながら、このようなカウンタ装置では、使用者が胸やあごを出して装置のボタンを押すため、意図しない負荷が使用者にかかってしまうという課題が存在していた。
【０００６】
本発明の目的は、かかる従来の課題に鑑みてなされたものであり、意図しない負荷を使用者に与えずに運動回数を計測することのできる運動回数計測装置、運動回数計測方法およびプログラムを提供することにある。
【課題を解決するための手段】
【０００７】
上記目的を達成するため、本発明の運動回数計測装置は、
被写体を撮像する撮像手段と、
前記撮像手段により撮像される前記被写体と前記撮像手段との距離に応じて変化する被写体部分のサイズを検出するサイズ検出手段と、
前記サイズ検出手段により検出される前記被写体部分のサイズと比較される基準サイズが記憶されている記憶手段と、
前記サイズ検出手段により検出された前記被写体部分のサイズと、前記記憶手段に記憶されている前記基準サイズとを比較する比較手段と、
前記比較手段の比較結果より得られた前記被写体部分のサイズが前記基準サイズに達していない第１の状態と、前記基準サイズに達している第２の状態との間の移行回数を計測する計測手段と、
を備えることを特徴とする。
【０００８】
また、本発明の運動回数計測方法は、
被写体を撮像する撮像手段と、前記撮像手段により撮像される前記被写体の被写体部分のサイズと比較される基準サイズが記憶されている記憶手段と、を備えた運動回数計測装置による運動回数計測方法において、
前記撮像手段により撮像される前記被写体と前記撮像手段との距離に応じて変化する前記被写体部分のサイズを検出するサイズ検出ステップと、
前記サイズ検出ステップにより検出された前記被写体部分のサイズと、前記記憶手段に記憶されている前記基準サイズとを比較する比較ステップと、
前記比較ステップの比較結果より得られた前記被写体部分のサイズが前記基準サイズに達していない第１の状態と、前記基準サイズに達している第２の状態との間の移行回数を計測する計測ステップと、
を有することを特徴とする。
【０００９】
また、本発明のプログラムは、
被写体を撮像する撮像手段を備えた運動回数計測装置のコンピュータを、
前記撮像手段により撮像される前記被写体と前記撮像手段との距離に応じて変化する被写体部分のサイズを検出するサイズ検出手段、
前記サイズ検出手段により検出される前記被写体部分のサイズと比較する基準サイズが記憶されている記憶手段、
前記サイズ検出手段により検出された前記被写体部分のサイズと、前記記憶手段に記憶されている前記基準サイズとを比較する比較手段、
前記比較手段の比較結果より得られた前記被写体部分のサイズが前記基準サイズに達していない第１の状態と、前記基準サイズに達している第２の状態との間の移行回数を計測する計測手段、
として機能させることを特徴とする。
【発明の効果】
【００１０】
本発明に従うと、意図しない負荷を使用者に与えずに運動回数を計測することができる。
【図面の簡単な説明】
【００１１】
【図１】本発明の第１の実施の形態に係る運動回数計測装置の正面図である。
【図２】第１の実施の形態に係る運動回数計測装置の概略構成を示すブロック図である。
【図３】運動回数計測装置の中央制御部により実行される「腕立てカウント処理」の制御手順を示すフローチャートである。
【図４】腕立て基本姿勢登録フェーズにおける、使用者の姿勢（腕立ての姿勢）を示す図である。
【図５】ＲＡＭのうち、「腕立てカウント処理」にて使用するＲＡＭマップの記憶内容を示した図である。
【図６】伏せ状態フェーズにおいて、「腕立ての姿勢」の状態から腕を曲げて完全に「伏せ状態」に移行するまでの表示画面での表示例を示す図である。
【図７】顔枠のサイズが表示画面の外枠サイズよりも大きいか否かの判別手法を説明するための図である。
【図８】表示画面の外枠の代わりに設定枠（第１の設定枠）を用いて顔枠サイズを判断する場合の判別手法を説明するための図である。
【図９】（Ａ）（Ｂ）および（Ｃ）は腕立て状態から伏せ状態を経て腕立て状態に至る一連の動作を説明するための図である。
【図１０】「腕立てカウント処理」の動作での表示部の表示例を示す。
【図１１】「腕立てカウント処理」の動作での表示部の別な表示例を示す。
【図１２】本発明の第２の実施の形態における、「腹筋カウント処理」にて使用するＲＡＭマップの記憶内容を示した図である。
【図１３】第２の実施の形態における「腹筋カウント処理」の制御手順を示すフローチャートである。
【図１４】腹筋運動の準備態勢を説明するための図である。
【図１５】（Ａ）（Ｂ）および（Ｃ）は腹筋運動の一連の動作を説明するための図である。
【図１６】表示画面の外枠の内部に設けられている第２の設定枠を示した図である。
【発明を実施するための形態】
【００１２】
［第１の実施の形態］
まず、本発明の第１の実施の形態について図面に基づいて説明する。
【００１３】
図１は、第１の実施の形態に係る運動回数計測装置１００の正面図である。図１に示すように、第１の実施の形態に係る運動回数計測装置１００は、正面上側にレンズ部１、スピーカ部２０を、正面中央に表示部８を、正面下側に電源ボタン２１、操作のための各種指示ボタン１０ｂ、シャッタボタン１０ａをそれぞれ有している。
運動回数計測装置１００は、表示部８とレンズ部１とが同じ向きに構成されており、表示部８に表示される使用者自身の画像を確認しながら所定の運動の回数を計測することができる。
【００１４】
図２は、第１の実施の形態に係る運動回数計測装置１００の概略構成を示すブロック図である。
図２に示すように、第１の実施の形態に係る運動回数計測装置１００は、レンズ部１と、電子撮像部２と、撮像制御部３と、画像データ生成部４と、画像メモリ５と、画像処理部６と、表示制御部７と、表示部８と、記録媒体制御部９と、操作入力部１０と、中央制御部１１とを備えている。ここで、レンズ部１と、電子撮像部２とで撮像手段を構成する。
また、撮像制御部３と、画像処理部６と、中央制御部１１は、例えば、カスタムＬＳＩ１Ａとして設計されている。
【００１５】
レンズ部１は、例えば複数のレンズ玉からなる固定焦点レンズから構成されている。また、ズームレンズであってもよく、その場合には、例えばフォーカシングレンズやバリエータレンズ等から構成される。
また、レンズ部１は、図示は省略するが、例えば、合焦のための合焦駆動部を備え、ズームレンズの場合には、例えば、バリエータレンズを光軸方向に移動させるズーム駆動部、フォーカスレンズを光軸方向に移動させる合焦駆動部等を備えている。
【００１６】
電子撮像部２は、例えば、ＣＣＤ（Charge Coupled Device）やＣＭＯＳ（Complementary Metal-oxide Semiconductor）等のイメージセンサから構成され、レンズ部１の各種レンズを通過した光学像を二次元の画像信号に変換する。
【００１７】
撮像制御部３は、図示は省略するが、タイミング発生器、ドライバなどを備えている。そして、撮像制御部３は、タイミング発生器、ドライバにより電子撮像部２を走査駆動して、所定周期毎に光学像を電子撮像部２により二次元の画像信号に変換させ、当該電子撮像部２の撮像領域から１画面分ずつ画像フレームを読み出して画像データ生成部４に逐次出力させる。
また、撮像制御部３は、ＡＦ（自動合焦処理）、ＡＥ（自動露出処理）、ＡＷＢ（自動ホワイトバランス）等の被写体の撮像条件の調整制御を行う。
【００１８】
画像データ生成部４は、電子撮像部２から転送された画像フレームのアナログ値の信号に対してＲＧＢの色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を画像データとして生成する。
カラープロセス回路から出力される画像データは、図示しないＤＭＡコントローラを介して、バッファメモリとして使用される画像メモリ５にＤＭＡ転送される。
【００１９】
中央制御部１１は、撮像装置１００の各部を制御するものである。具体的には、中央制御部１１は、ＣＰＵ、ＲＯＭ（何れも図示略）、ＲＡＭ１２を備え、撮像装置１００用の各種処理プログラム（図示略）に従って各種の制御動作を行う。
【００２０】
画像メモリ５は、例えば、ＤＲＡＭ等により構成され、画像データ生成部４から転送された画像データを一時的に記憶する。また、画像メモリ５は、画像処理部６や中央制御部１１等によって処理されるデータ等を一時的に記憶する。
【００２１】
画像処理部６は、被写体検出部６ａと、動き検出部６ｂとを具備している。
【００２２】
被写体検出部６ａは、被写体の顔を検出する顔検出手段を有する。顔検出手段は、画像メモリ５から画像を読み出し、その画像から人の顔を検出し、検出された顔の位置や大きさ等を特定する。被写体検出部６ａは、撮像された画像データの全領域（画角の全範囲）内に人の顔があるか否かを認識する。つまり、顔認識処理の対象となる範囲は画像データの全領域である。
【００２３】
この顔検出手段は、例えば、画像領域に含まれる人の顔を識別するための一般的な人の顔の特徴点データ（目、眉毛、鼻、口、耳等の特徴データ）と撮像された画像データとを比較照合することによって、顔を検出するように構成されている。
【００２４】
また、この顔検出手段は、一方の眼を検出し、該一方の眼に基づいて両眼対候補を生成することによって、顔を検出するように構成されてもよい。
また、この顔検出手段は、顔全体の輪郭に対応した基準テンプレートを用いたテンプレートマッチング（ブロックマッチングともいう。）によって顔を検出するように構成されてもよい。
【００２５】
また、被写体検出部６ａは、被写体の形状の特徴領域を表す形状情報を特徴点として抽出する。この場合、被写体検出部６ａは、画像データから被写体の輪郭を形状情報として抽出して被写体を検出する。
【００２６】
動き検出部６ｂは、画像領域における物体の移動における動きを検出する。具体的には、画像メモリ５から読み出された画像のフレーム間差分を画素単位で求め、差分のあった画素領域に動きのある移動物体が存在すると推定するフレーム間差分方式を用いて、物体の動きを検出する。
また、前フレームで動きと推定された領域を切り出してテンプレート画像とし、現フレームでこのテンプレート画像と相関の高い領域を探索し、相関値が閾値以上である領域を移動物体が存在する領域であると推定するマッチング方式を用いて、物体の動きを検出することもできる。
【００２７】
表示制御部７は、画像メモリ５に記憶されている縮小画像データを読み出して表示部８に縮小画像を表示させる制御を行う。
具体的には、表示制御部７は、ＶＲＡＭ、ＶＲＡＭコントローラ、デジタルビデオエンコーダなどを備えている。そして、デジタルビデオエンコーダは、中央制御部１１の制御下にて画像メモリ５から読み出されてＶＲＡＭ（図示略）に記憶されている縮小画像データの輝度信号Ｙ及び色差信号Ｃｂ，Ｃｒを、ＶＲＡＭコントローラを介してＶＲＡＭから定期的に読み出して、これらのデータを元にビデオ信号を発生して表示部８に出力する。また、表示制御部７は、撮像モードにて、電子撮像部２及び撮像制御部３による撮像により生成された複数の画像フレームに基づいたライブビュー画像や、本撮像画像として撮像されたレックビュー画像等を表示部８に表示させる機能も有する。
【００２８】
表示部８は、例えば、液晶表示装置であり、表示制御部７からのビデオ信号に基づいて縮小画像を表示する表示手段として機能している。また、表示部８は、表示制御部７からのビデオ信号に基づいて、ライブビュー画像、レックビュー画像等を表示部８に表示する。
【００２９】
記録媒体制御部９は、記録媒体９ａが着脱自在に構成され、装着された記録媒体９ａからのデータの読み出しや記録媒体９ａに対するデータの書き込みを制御する。即ち、記録媒体制御部９は、画像処理部６のＪＰＥＧ圧縮部（図示略）により符号化された記録用の画像データを記録媒体９ａに記録させる。記録用の画像データには、切抜画像データも含まれる。
【００３０】
なお、記録媒体９ａは、例えば、不揮発性メモリ（フラッシュメモリ）等により構成されるが、一例であってこれに限られるものではなく、適宜任意に変更可能である。
【００３１】
操作入力部１０は、当該撮像装置１００の所定操作を行うためのものである。具体的には、操作入力部１０は、被写体の撮影指示に係るシャッタボタン１０ａ、メニュー画面にて撮像モードや機能等の選択や構図の指示等に係る指示ボタン１０ｂ、レンズ部１がズームレンズである場合には、ズーム量の調整指示に係るズームボタン（図示略）等を備え、これらのボタンの操作に応じて所定の操作信号を中央制御部１１に出力する。
【００３２】
また、操作入力部１０は、各種の設定に係る指示入力を行うためのものとして機能する。
【００３３】
次に、第１の実施の形態に係る運動回数計測装置１００の動作について説明する。
【００３４】
図３は、運動回数計測装置１００の中央制御部１１により実行される「腕立てカウント処理」の制御手順を示すフローチャートである。図４は、腕立て基本姿勢登録フェーズにおける、腕立て状態の姿勢を示す図である。図５は、腕立てカウント処理にて使用する、中央制御部１１にあるＲＡＭ１２中のＲＡＭマップ１２ａに記憶される内容を示した図である。図６は、伏せ状態フェーズにおいて、「腕立て状態から腕を曲げて完全に伏せ状態に移行するまでの表示部８での表示例を示す図である。
【００３５】
以下、運動回数計測装置１００による「腕立てカウント処理」の動作について図３のフローチャート等を参照して説明する。フロー図は、「腕立て基本姿勢登録フェーズ」、「伏せ状態フェーズ」、「腕立て復帰フェーズ」の三つのフェーズに分けられている。
【００３６】
先ず、腕立て基本姿勢登録フェーズについて説明する。
腕立てカウント処理が開始されると中央制御部１１は先ず、例えば、「腕を伸ばし、基本姿勢を保ってください。」という音声ガイダンスをスピーカ２０から発信する（ステップＳ０１）。図４に示すように使用者Ｙは、音声ガイダンスに従い、運動回数計測装置１００の上に顔Ｋを位置させて、腕立て状態の姿勢をとる。
【００３７】
ステップＳ０２では、中央制御部１１は、被写体検出部６ａを制御して使用者の顔を検出し、使用者Ｙの顔Ｋが検出されると顔枠２２を検出された顔に重畳して表示する。そして、顔枠２２のサイズが一定時間同じサイズであるか否かを確認する。ここで、顔枠２２は、例えば図６に示すように、正方形に近い矩形の枠である。
顔枠２２のサイズが一定時間同じでなければ「ＮＯ」へ分岐して、ステップＳ０２の処理を繰り返す。顔枠２２のサイズが一定時間同じであれば「ＹＥＳ」へ分岐して、ステップＳ０３に移行する。
【００３８】
ステップＳ０３では、中央制御部１１は、顔枠２２のサイズをＲＡＭマップ１２ａに記憶する。図５のように、ＲＡＭマップ１２ａの記憶内容は、顔枠２２のサイズ、表示部８の外枠のサイズ（または、伏せ状態の閾枠である設定枠（第１の設定枠）のサイズ）および、腕立てカウント値からなる。ここで、記憶された顔枠のサイズを「予め定められている被写体部分の第２の基準サイズ」という。ここで、ＲＡＭマップ１２ａは第２の基準サイズを記憶する記憶手段として機能している。
【００３９】
次に、「伏せ状態フェーズ」について説明する。伏せ状態フェーズは、腕立て状態から腕を曲げて完全に伏せ状態に移行するまでのフェーズである。
【００４０】
中央制御部１１は、ステップＳ０４にて、例えば、「腕立てをスタートしてください。」という音声ガイダンスをスピーカ２０より発信する。
【００４１】
次に、中央制御部１１は、被写体検出部６ａを制御して顔が検出されているか否かを監視する（ステップＳ０５）。顔が検出されていなければ、「ＮＯ」へ分岐して、ステップＳ０５の処理を繰り返す。顔が検出されていれば、「ＹＥＳ」へ分岐して、ステップＳ０６に移行する。図６（Ａ）は、腕立て状態が表示部８に表示されている例を示している。図６（Ｂ）は、使用者が腕を曲げていくに従って顔枠２２のサイズが大きくなる例を示している。
【００４２】
ステップＳ０６では、中央制御部１１は、顔枠２２が表示部８の外枠からはみ出た状態であるか否かを、顔枠２２のサイズが表示部８の外枠２３のサイズよりも大きいか否かにより判別する。そして、顔枠２２のサイズが表示部８の外枠２３のサイズよりも大きいと判断されたとき、使用者の運動が伏せ状態に至ったと判断する。ここで、「伏せ状態」を第１の状態と呼ぶ。ここで、外枠２３のサイズは基準サイズとして機能している。また、ＲＡＭマップ１２ａは基準サイズを記憶する記憶手段として機能している。
【００４３】
図７は、顔枠２２のサイズが表示部８の外枠２３のサイズよりも大きいか否かの判別手法を説明するための図である。
例えば、図７（Ａ）の破線に示すように、矩形の顔枠２２の左右上下の４つの辺のすべてが、表示部８の外枠２３内にある場合は、顔枠２２のサイズが表示部８の外枠２３のサイズよりも小さいと判断するが、図７（Ａ）の実線に示すように、矩形の顔枠２２の４つの辺の内、両サイドの辺がともに、表示部８の外枠２３を越え、外に出てしまった状態に至った場合は、顔枠２２のサイズが表示部８の外枠２３のサイズよりも大きいと判断する。
また、例えば、図７（Ｂ）に示すように、顔枠２２の４つの辺の内、上下の辺がともに、表示部８の外枠２３を越え、外に出た状態に至った場合は、顔枠２２のサイズが表示部８の外枠２３のサイズよりも大きいと判断する。
また、図７（Ｃ）、図７（Ｄ）のような場合も、顔枠２２のサイズが表示部８の外枠２３のサイズよりも大きいと判断する。
【００４４】
なお、計測手段としての中央制御部１１は、表示部８の外枠２３を用いて伏せ状態を判断する代わりに、表示部８の外枠２３の内部の所定部位に設けた閥枠（設定枠（第１の設定枠）２４）を用いても良い。
【００４５】
図８は、表示部８の外枠２３の代わりに設定枠（第１の設定枠）２４を用いてステップＳ０６を判断する場合の判別手法を説明するための図である。
例えば、図８（Ａ）に示すように、顔枠２２の４つの辺の内、両サイドの辺がともに、第２の設定枠２４に触れた後、外枠を越えた状態に至った場合、ステップＳ０６にて「ＹＥＳ」と判断する。一方、顔枠２２の両サイドの辺の内、一方の辺が設定枠（第１の設定枠）２４に触れることがない状態（図８（Ｃ））は、ステップＳ０６にて「ＮＯ」と判断する。
また、例えば、図８（Ｂ）に示すように、顔枠２２の４つの辺の内、上下の辺がともに、設定枠（第１の設定枠）２４に触れた後、設定枠（第１の設定枠）２４を越えた状態に至った場合、ステップＳ０６にて「ＹＥＳ」と判断してもよい。この場合、顔枠２２の上下の辺の一方の辺が設定枠（第１の設定枠）２４に触れることがない状態（図８（Ｄ））は、ステップＳ０６にて「ＮＯ」と判断する。
図８（Ｃ）、図８（Ｄ）のような場合は、伏せ移行時の上体の姿勢がずれているので、伏せ状態と判断しない。
【００４６】
上記のように、設定枠（第１の設定枠）２４を用いることにより、設定枠（第１の設定枠）２４の大きさを表示部８の外枠２３と異ならせることができるので、腕立て状態での顔のサイズと伏せ状態と判断される顔枠２２のサイズとの比率を変更することができる。ここで、設定枠２３のサイズは基準サイズとして機能している。また、ＲＡＭマップ１２ａは基準サイズを記憶する記憶手段として機能している。
【００４７】
次に、腕立て復帰フェーズについて説明する。腕立て復帰フェーズは、伏せ状態から腕を伸ばして腕立て状態に移行するまでのフェーズである。
【００４８】
先ず、ステップＳ０７では、中央制御部１１は、例えば、「基本姿勢に戻ってください。」という音声ガイダンスをスピーカ２０より発信する。
【００４９】
次にステップＳ０８にて、中央制御部１１は、被写体検出部６ａを制御して、顔枠２２のサイズが記憶された顔枠のサイズと一致するか否かを判別する。伏せ状態から腕Ｕを伸ばして腕立て状態に移行すると顔枠２２のサイズが小さくなり、表示部８の外枠２３（または、第１の設定枠２４）に収まるようになる。
顔枠２２のサイズと記憶された顔枠２２のサイズとが一致しない場合は、「ＮＯ」へ分岐してステップＳ０７に移行する。一方、顔枠２２のサイズと記憶された顔枠２２のサイズとが一致したと判断された場合は、「ＹＥＳ」へ分岐してステップＳ０９に移行する。
ここで、顔枠２２のサイズが第２の基準サイズ（記憶された顔枠２２のサイズ）に一致した状態（腕立て状態）を第２の状態と呼ぶ。
また、ここで、「両サイズが一致した」とは、例えば、両サイズの所定の寸法の差が所定の値（例えば１０％）以下になった場合をいう。
【００５０】
ステップＳ０９では中央制御部１１は、腕立て伏せの回数をカウントするカウンタの変数を１増分し、表示部８のカウントの表示を更新する。
ここで中央制御部１１およびステップＳ０６、Ｓ０８、Ｓ０９が計測手段として機能している。
【００５１】
図９は、腕Ｕの腕立て状態から伏せ状態を経て腕立て状態に至る一連の動作を説明するための図である。
以上の説明のように、使用者Ｙは図９（Ａ）の腕立て状態から（Ｂ）の伏せ状態を経て（Ｃ）の腕立て状態に至る一連の動作を行う。そしてこれ以降、使用者Ｙの指示により終了指示がなされない限り、腕立てカウント処理では、伏せ状態フェーズ、腕立て復帰フェーズの両フェーズが繰り返される。
【００５２】
図１０、図１１は、「腕立てカウント処理」における表示部８の表示例を示す。図１０は腕立て伏せの回数のみ表示される例を示している。図１１は腕立て伏せの回数が表示部８下部に表示されるとともに、運動している人物Ｙの顔Ｋを含む姿と顔枠２２とが表示されている例を示している。
【００５３】
以上のように、第１の実施の形態によれば、運動回数計測装置１００は、運動する被写体を撮像する撮像手段であるレンズ部１、電子撮像部２と、撮像手段により撮像された被写体のうちの予め定められている被写体部分のサイズを検出する被写体検出部６ａと、基準サイズおよび第２の基準サイズを記憶するＲＡＭマップ１２ａと、ＲＡＭマップ１２ａにより第２の基準サイズが記憶された後に、被写体検出部６ａにより検出された被写体部分のサイズが第２の基準サイズと一致していない第１の状態（伏せ状態）を検出してから、第２の基準サイズに一致した第２の状態（腕立て状態）を検出する都度、被写体が運動を行った回数としてカウントする計測手段である中央制御部１１とを備えている。このように顔検出技術を利用することによって、手やあごによる操作が不要となり、ユーザに意図しない負荷をかけないという効果がある。
【００５４】
また、被写体検出部６ａは被写体部分のサイズとして顔枠２２のサイズを検出し、計測手段である中央制御部１１は、被写体の運動により、顔枠２２が表示画面の外枠２３からはみ出た第１の状態から顔枠２２が表示画面の外枠２３に収まって顔枠２２が第２の基準のサイズに一致した第２の状態に移行した際に、被写体が運動を行った回数としてカウントするので、上記の効果が得られることに加え、腕立て状態から伏せ状態まで顔が認識され続けること、および、カメラ部１に常に顔を向け、伏せ移行時の姿勢も良くしなければ伏せ状態の判断条件が満たされないため、間違った姿勢での腕立て伏せを防止できるという効果がある。
【００５５】
また、計測手段である中央制御部１１は、表示画面の外枠２３の内側に設定枠２４を設定し、被写体検出部６ａは被写体部分のサイズとして顔枠２２のサイズを検出し、計測手段である中央制御部１１は、被写体の運動により、顔枠２２が設定枠２４からはみ出た第１の状態から顔枠２２が設定枠２４に収まって顔枠２２が第２の基準のサイズに一致した第２の状態に移行した際に被写体が運動を行った回数としてカウントするので、腕立て状態での顔のサイズと伏せ状態と判断される顔枠２２のサイズとの比率を変更することができる。
【００５６】
なお、第１の実施の形態において、基準サイズのみを用い、第２の基準サイズを用いないで運動回数をカウントするように構成することもできる。すなわち、表示部８の外枠２３を基準サイズと定義して、例えば、被写体の運動により、顔枠のサイズが表示部８の外枠２３からはみ出ている第１の状態と、顔枠のサイズが表示部８の外枠２３に収まって当該顔枠のサイズが表示部８の外枠２３のサイズに一致した第２の状態との移行を検出する都度、被写体が運動を行った回数としてカウントするようにしてもよい。すなわち、顔枠のサイズが基準サイズと一致していない第１の状態と、一致した第２の状態との間の移行を検出する都度、被写体が運動を行った回数としてカウントするようにしてもよい。
また、例えば、被写体の運動により、顔枠のサイズが表示部８の外枠２３からはみ出ている第１の状態と、顔枠のサイズが表示部８の外枠２３のサイズに収まった第２の状態との移行を検出する都度、被写体が運動を行った回数としてカウントするようにしてもよい。
さらに、基準サイズを表示部８の外枠２３の内側に設けられた設定枠２４としてもよい。基準サイズは、使用者が設定する基準となる使用者設定サイズであり、外枠２３と設定枠２４を使用者が選択して設定できるように構成されている。
また、移行の順序は、第１の状態から第２の状態への移行を検出してもよく、その逆に、第２の状態から第１の状態への移行を検出してもよい。
また、予め定められている被写体部分のサイズは顔枠のサイズであったが、予め定められている被写体部分のサイズは顔以外の他の部位を囲む枠のサイズであってもよい。
このようにすれば、１つの基準サイズで運動を行った回数をカウントすることができる。
【００５７】
以上のように、上記によれば、運動回数計測装置１００は、運動する被写体を撮像する撮像手段であるレンズ部１、電子撮像部２と、撮像手段により撮像された被写体のうちの予め定められている被写体部分のサイズを検出する被写体検出部６ａと、被写体検出部６ａにより検出された前記被写体部分の基準サイズを記憶するＲＡＭマップ１２ａと、ＲＡＭマップ１２ａにより被写体部分の基準サイズが記憶された後に、被写体検出部６ａにより検出された被写体部分のサイズが記憶されている被写体部分の基準サイズと一致していない第１の状態（図６（Ｃ）および図９（Ｂ）の伏せ状態）を検出してから、一致した第２の状態（図６（Ｂ）の波線および図９（Ｃ）の腕立て状態）を検出する都度、被写体が運動を行った回数としてカウントする計測手段である中央制御部１１とを備えている。このように顔検出技術を利用することによって、手やあごによる操作が不要となり、ユーザに意図しない負荷をかけないという効果がある。
【００５８】
また、基準サイズは、使用者が設定する基準となる使用者設定サイズであり、記憶手段（１２ａ）は、この使用者設定サイズを基準サイズとして記憶しているサイズ記憶手段を備えているように構成されている。したがって、基準サイズを表示部８の外枠２３または第１の設定枠２４の何れかを選択して設定することができるので、使用者の体型や装置使用状況に適合する運動回数計測装置１１０を提供することができる。
【００５９】
また、被写体検出部６ａは被写体部分のサイズとして顔枠２２の左右のサイズを検出し、計測手段である中央制御部１１は、被写体Ｈの運動により、顔枠２２の左右のサイズが表示部８の外枠２３のサイズからはみ出て、両者のサイズが一致していない第１の状態（図６（Ｃ）および図９（Ｂ）の伏せ状態）から、顔枠２２の左右のサイズが表示部８の外枠２３のサイズ内に収まって顔枠２２の左右のサイズが表示部８の外枠２３のサイズに一致した第２の状態（図６（Ｂ）の波線および図９（Ｃ）の腕立て状態）に移行した際に、被写体Ｈが運動を行った回数としてカウントを１増やすので、上記の効果が得られることに加え、腕立て状態から伏せ状態まで顔が認識され続けること、および、カメラ部１に常に顔を向け、伏せ移行時の姿勢も良くしなければ伏せ状態の判断条件が満たされないため、間違った姿勢での腕立て伏せを防止できるという効果がある。
【００６０】
また、計測手段である中央制御部１１は、表示部８の外枠２３の内側に第１の設定枠２４を設定し、被写体検出部６ａは被写体部分のサイズとして顔枠２２のサイズを検出し、計測手段である中央制御部１１は、被写体の運動により、顔枠２２が第１の設定枠２４からはみ出た第１の状態から顔枠２２が第１の設定枠２４に収まって顔枠２２が基準のサイズに一致した第２の状態に移行した際に被写体が運動を行った回数としてカウントするので、腕立て状態での顔のサイズと伏せ状態と判断される顔枠２２のサイズとの比率を変更することができる。
【００６１】
［第２の実施の形態］
第１の実施の形態では、運動回数計測装置１００による「腕立て伏せ」運動の回数計測について説明したが、第２の実施の形態では「腹筋運動」の回数計測について説明する。
なお、第２の実施の形態に係る運動回数計測装置は、第１の実施の形態に係る運動回数計測装置１００と同様の構成によってなるため、図１および図２を援用し、図示および説明を省略する。以下、第２の実施の形態に特徴的な構成および動作についてのみ説明する。
【００６２】
第２の実施の形態においては、図５に示したＲＡＭマップ１２ａの記憶内容を一部異ならせて用いる。図１２は、中央制御部１１にあるＲＡＭの中の、「腹筋カウント処理」にて使用するＲＡＭマップの記憶内容を示した図である。第２の実施の形態では、ＲＡＭマップ１２ａの記憶内容は、顔枠２２のサイズ、外枠のサイズ（または、あおむけ状態の閾枠である第２の設定枠のサイズ）および、腹筋カウント値からなる。
【００６３】
次に、動作について説明する。
図１３は、運動回数計測装置１００の制御部１１により実行される「腹筋カウント処理」の制御手順を示すフローチャートである。図１４は、腹筋運動の準備態勢を説明するための図である。図１５は、腹筋運動の一連の動作を説明するための図である。
以下、運動回数計測装置１００による「腹筋カウント処理」の動作について図１３のフローチャートおよび図１４、図１５を参照して説明する。フローチャート図１３は、「腹筋起き上がっている状態登録フェーズ」、「状態戻しフェーズ」、「状態起こしフェーズ」の三つのフェーズに分けられている。
以下の説明では、「腹筋起き上がっている状態登録フェーズ」、「状態起こしフェーズ」において、上体が起きている姿勢を「上体起こし状態（腹筋起き上がっている状態）」と、において、「状態戻しフェーズ」における上体が寝ている姿勢を「あおむけ状態」とよぶ。
【００６４】
使用者は、図１４に示すように、例えば運動回数計測装置１００を台の上に設置し、腹筋運動の準備態勢に入る。
【００６５】
先ず、「腹筋起き上がっている状態登録フェーズ」について説明する。
「腹筋カウント処理」が開始されると中央制御部１１は先ず、例えば、「起き上がり、顔を登録してください。」という音声ガイダンスをスピーカ２０より発信する（ステップＳ２１）。
使用者は、その音声ガイダンスに従い、図１５（Ａ）に示すように、腹筋を使い顔がカメラの前になる状態まで上体を起こす。
【００６６】
ステップＳ２２では、中央制御部１１は、被写体検出部６ａを制御して使用者の顔を検出し、使用者の顔が検出されると顔枠２２を検出された顔に重畳して表示する。
そして、顔枠２２のサイズが一定時間同じサイズであるか否かを確認する。
顔枠２２のサイズが一定時間同じでなければ「ＮＯ」へ分岐して、ステップＳ２２の処理を繰り返す。顔枠２２のサイズが一定時間同じであれば「ＹＥＳ」へ分岐して、ステップＳ２３に移行する。
【００６７】
ステップＳ２３では、中央制御部１１は、顔枠２２のサイズをＲＡＭマップ１２ａに記憶する。すなわち、「腹筋起き上がっている状態登録フェーズ」では、顔枠２２のサイズが一定時間、変わらなかったときに、上体起こし状態として顔枠２２のサイズを中央制御部１１に備えられているＲＡＭ１２のＲＡＭマップ１２ａに記憶する。
ここで、記憶された顔枠のサイズを「予め定められている被写体部分の第２の基準サイズ」という。また、ＲＡＭマップ１２ａは第２の基準サイズを記憶する記憶手段として機能している。
【００６８】
次に、「状態戻しフェーズ」について説明する。「状態戻しフェーズ」は上体起こし状態からあおむけ状態に移行するまでのフェーズである。
【００６９】
中央制御部１１は、ステップＳ２４にて、例えば、「腹筋をスタートしてください。」という音声ガイダンスをスピーカ２０より発信する。
【００７０】
次に、中央制御部１１は、被写体検出部６ａを制御して顔が検出されている状態であるか否かを監視する（ステップＳ２５）。顔が検出されていれば、「ＹＥＳ」へ分岐して、ステップＳ２５の処理を繰り返す。顔が検出されていなければ、「ＮＯ」へ分岐して、ステップＳ２６に移行する。
ステップＳ２５において、音声ガイダンスを聞いた使用者の運動により上体起こし状態からあおむけ状態に移行すると、使用者の上体が伸び、カメラから顔が遠ざかるため、検出されている顔の顔枠２２のサイズが小さくなり、やがて、顔枠２２が表示部８の外枠２３の外に外れる。その時点で顔が検出されていない状態となるので、ステップＳ２５において「ＮＯ」へ分岐して、ステップＳ２６に移行することとなる。この移行時点であおむけ状態であると判断する。ここで、あおむけ状態を第１の状態と呼ぶ。また、外枠２３のサイズは基準サイズとして機能している。また、ＲＡＭマップ１２ａは基準サイズを記憶する記憶手段として機能している。
【００７１】
なお、計測手段としての中央制御部１１は、表示部８の外枠２３を用いてあおむけ状態を判断する代わりに、表示部８の外枠２３の内部の所定部位に設けた閥枠（第２の設定枠２５）を用いても良い。
図１６は、表示部８の外枠２３の内部に設けられている第２の設定枠２５を示した図である。この場合、第２の設定枠２４の大きさ・位置を表示部８の外枠２３の大きさ・位置と異ならせることができるので、あおむけ状態における検出位置を変更することができる。ここで、第２の設定枠２３のサイズは基準サイズとして機能している。また、ＲＡＭマップ１２ａは基準サイズを記憶する記憶手段として機能している。
【００７２】
次に、「状態起こしフェーズ」について説明する。「状態起こしフェーズ」は、あおむけ状態から上体起こし状態に移行するまでのフェーズである。
ステップＳ２６にて中央制御部１１は「状態を起こしてください。」という音声ガイダンスをスピーカ２０より発信する。
【００７３】
次にステップＳ２７にて中央制御部１１は、被写体検出部６ａを制御して、顔枠２２のサイズが記憶された顔枠のサイズと一致するか否かを判別する。すなわち、使用者の運動によりあおむけ状態から上体起こし状態に移行すると、顔枠２２が表示部８の外枠２３（または、第２の設定枠）に収まり、顔枠２２のサイズが記憶された顔枠のサイズと一致するようになる。
顔枠２２のサイズと記憶された顔枠のサイズとが一致しない場合は、「ＮＯ」へ分岐してステップＳ２７に移行する。一方、顔枠２２のサイズと記憶された顔枠のサイズとが一致した判断された場合は、「ＹＥＳ」へ分岐してステップＳ２８に移行する。
ここで、顔枠２２のサイズが記憶された顔枠のサイズに一致した状態（上体起こし状態）を第２の状態と呼ぶ。
また、ここで、「両サイズが一致した」とは、例えば、両サイズの所定の寸法の差が所定の値（例えば１０％）以下になった場合をいう。
【００７４】
ステップＳ２８では中央制御部１１は、腹筋の回数をカウントするカウンタの変数を１増分し、表示部８のカウントの表示を更新する。そして、ステップＳ２４に移行する。
ここで中央制御部１１およびステップＳ２５、Ｓ２７、Ｓ２８が計測手段として機能している。
【００７５】
以上の説明のように、使用者は図１５（Ａ）の上体起こし状態から、図１５（Ｂ）のあおむけ状態を経て、図１５（Ｃ）の上体起こし状態に至る一連の動作を行う。そしてこれ以降、使用者による終了指示がなされない限り、「状態戻しフェーズ」、「状態起こしフェーズ」の両フェーズが繰り返される。
【００７６】
中央制御部１１は、「腹筋カウント処理」時にも、図９、図１０に示した「腹筋カウント処理」時の表示と同様、「腹筋カウント処理」時の表示を表示部８の表示で行う。
【００７７】
以上のように、第２の実施の形態によれば、運動回数計測装置１００は、運動する被写体を撮像する撮像手段であるレンズ部１、電子撮像部２と、撮像手段により撮像された被写体のうちの予め定められている被写体部分のサイズを検出する被写体検出部６ａと、基準サイズと第２の基準サイズを記憶するＲＡＭマップ１２ａと、ＲＡＭマップ１２ａにより第２の基準サイズが記憶された後に、被写体検出部６ａにより検出された被写体部分のサイズが第２の基準サイズと一致していない第１の状態（あおむけ状態）を検出してから、第２の基準サイズと一致した第２の状態（上体起こし状態）を検出する都度、被写体が運動を行った回数としてカウントする計測手段である中央制御部１１とを備えている。このように顔検出技術を利用することによって、手やあごによる操作が不要となり、ユーザに意図しない負荷をかけないという効果がある。
【００７８】
また、被写体検出部６ａは被写体部分のサイズとして顔枠２２のサイズを検出し、計測手段である中央制御部１１は、前記被写体の運動により、前記顔枠２２が小さくなって顔枠２２が表示画面の外枠２３から外れる第１の状態（あおむけ状態）から、顔枠２２が表示画面に収まって当該顔枠２２が第２の基準のサイズに一致した第２の状態（上体起こし状態）に移行した際に前記被写体が運動を行った回数としてカウントするので、上記の効果が得られることに加え、記憶された顔枠のサイズについての第２の基準サイズと一致するサイズになるまで起き上がらないとカウントされないため、所定のレベルまで起き上がらない間違った姿勢での腹筋運動防止できるという効果がある。
【００７９】
また、前記計測手段は、表示画面の外枠２３の内側に第２の設定枠２５を設定し、被写体検出部６ａは被写体部分のサイズとして顔枠２２のサイズを検出し、計測手段である中央制御部１１は、被写体の運動により、顔枠２２が小さくなって顔枠２２が第２の設定枠２５から外れる第１の状態（あおむけ状態）から、顔枠２２が第２の設定枠２５に収まって顔枠２２が第２の基準のサイズに一致した第２の状態（上体起こし状態）に移行した際に被写体が運動を行った回数としてカウントするのであおむけ状態における検出位置を変更することができる。
【００８０】
なお、第２の実施の形態において、基準サイズのみを用い、第２の基準サイズを用いないで運動回数をカウントするように構成することもできる。すなわち、表示部８の外枠２３を基準サイズと定義して、例えば、被写体の運動により、顔枠２２が小さくなって顔枠２２が表示部８の外枠２３から外れる第１の状態（あおむけ状態）と、顔枠２２のサイズが表示部８の外枠２３のサイズに収まって一致した第２の状態（上体起こし状態）（図６（Ｂ）の波線相当の状態および図１５（Ａ）の上体起こし状態）との間の移行を検出する都度、被写体が運動を行った回数としてカウントするようにしてもよい。
さらに、基準サイズを表示部８の外枠２３の内側に設けられた第２の設定枠２５としてもよい。
また、移行の順序は、第１の状態から第２の状態への移行を検出してもよく、その逆に、第２の状態から第１の状態への移行を検出してもよい。
また、予め定められている被写体部分のサイズは顔枠のサイズであったが、予め定められている被写体部分のサイズは顔以外の他の部位を囲む枠のサイズであってもよい。
このようにすれば、１つの基準サイズで運動を行った回数をカウントすることができる。
【００８１】
以上のように、上記によれば、運動回数計測装置１００は、運動する被写体を撮像する撮像手段であるレンズ部１、電子撮像部２と、撮像手段により撮像された被写体のうちの予め定められている被写体部分のサイズを検出する被写体検出部６ａと、この被写体検出部６ａにより検出される被写体部分のサイズと比較される基準サイズが記憶されているＲＡＭマップ１２ａと、被写体検出部６ａにより検出された被写体部分のサイズがＲＡＭマップ１２ａに記憶されている基準サイズと一致していない第１の状態（あおむけ状態）と、基準サイズと一致した第２の状態（上体起こし状態）との間の移行を検出する都度、被写体が運動を行った回数としてカウントする計測手段である中央制御部１１と、備えている。
このように顔検出技術を利用することによって、手やあごによる操作が不要となり、使用者に意図しない負荷をかけないという効果がある。
【００８２】
また、第１の基準サイズは、使用者が設定する基準となる使用者設定サイズであり、ＲＡＭマップ１２ａは、この使用者設定サイズを基準サイズとして記憶しているサイズ記憶手段として機能しているので、基準サイズを表示部８の外枠２３または第２の設定枠２５の何れかを選択して設定することができ、上体起こし状態における検出位置を変更することができ、使用者の体型や装置使用状況に適合する運動回数計測装置１１０を提供することができる。
【００８３】
また、撮像手段により撮像された被写体を表示する表示部８を更に備え、予め定められている被写体部分のサイズは顔枠２２のサイズであり、基準サイズは表示部８の外枠２３のサイズであり、計測手段である中央制御部１１は、前記被写体の運動により、前記顔枠２２が小さくなって顔枠２２が表示部８の外枠２３から外れる第１の状態（あおむけ状態）から、顔枠２２が表示部８に収まって当該顔枠２２が基準のサイズに一致した第２の状態（上体起こし状態）に移行した際に前記被写体が運動を行った回数としてカウントするので、上記の効果が得られることに加え、所定のレベルまで起き上がらない間違った姿勢での腹筋運動防止できるという効果がある。
【００８４】
また、撮像手段により撮像された被写体を表示する表示部８を更に備え、予め定められている被写体部分のサイズは顔枠２２のサイズであり、第１の基準サイズは表示部８の外枠２３の内側に設けられた第２の設定枠２５であり、計測手段である中央制御部１１は、被写体の運動により、顔枠２２が小さくなって顔枠２２が第２の設定枠２５から外れる第１の状態（あおむけ状態）から、顔枠２２が第２の設定枠２５に収まって顔枠２２が基準サイズに一致した第２の状態（上体起こし状態）に移行した際に被写体が運動を行った回数としてカウントするのであおむけ状態における検出位置を変更することができる。
【００８５】
本発明の実施の形態を説明したが、本発明の範囲は上述の実施の形態に限定するものではなく、特許請求の範囲に記載された発明とその均等の範囲に含まれる。
以下に、本願出願の当初の特許請求の範囲に記載された発明を付記する。
［付記］
＜請求項１＞
運動する被写体を撮像する撮像手段と、
この撮像手段により撮像された被写体のうちの予め定められている被写体部分のサイズを検出するサイズ検出手段と、
このサイズ検出手段により検出される被写体部分のサイズと比較される基準サイズが記憶されている記憶手段と、
前記サイズ検出手段により検出された被写体部分のサイズが前記記憶手段に記憶されている前記基準サイズと一致していない第１の状態と、前記基準サイズと一致した第２の状態との間の移行を検出する都度、前記被写体が運動を行った回数としてカウントする計測手段と、
を備えていることを特徴とする運動回数計測装置。
＜請求項２＞
前記基準サイズは、使用者が設定する基準となる使用者設定サイズであり、
前記記憶手段は、この使用者設定サイズを基準サイズとして記憶しているサイズ記憶手段を備えていることを特徴とする請求項１に記載の運動回数計測装置。
＜請求項３＞
前記撮像手段により撮像された被写体を表示する表示手段を更に備え、
前記予め定められている被写体部分のサイズは顔枠のサイズであり、前記基準サイズは前記表示手段の外枠のサイズであり、
前記計測手段は、前記被写体の運動により、前記顔枠のサイズが前記表示部の外枠からはみ出ている第１の状態から、前記顔枠のサイズが前記表示部の外枠に収まって当該顔枠のサイズが前記基準サイズに一致した第２の状態に移行した際に、前記被写体が運動を行った回数としてカウントすることを特徴とする請求項２に記載の運動回数計測装置。
＜請求項４＞
前記撮像手段により撮像された被写体を表示する表示手段を更に備え、 
前記予め定められている被写体部分のサイズは顔枠のサイズであり、前記基準サイズは前記表示手段の外枠の内側に設けられた設定枠であり、
前記計測手段は、前記被写体の運動により、前記顔枠のサイズが前記設定枠からはみ出ている第１の状態から、前記顔枠のサイズが前記第１の設定枠内に収まって当該顔枠のサイズが前記基準サイズに一致した第２の状態に移行した際に、前記被写体が運動を行った回数としてカウントすることを特徴とする請求項１に記載の運動回数計測装置。
＜請求項５＞
運動する被写体を撮像する撮像手段を備えた運動回数計測装置による運動回数計測方法において、
前記撮像手段により撮像された被写体のうちの予め定められている被写体部分のサイズを検出し、この検出された被写体部分のサイズが記憶されている基準サイズと一致していない第１の状態と、前記基準サイズに一致した第２の状態との間の移行を検出する都度、前記被写体が運動を行った回数としてカウントする計測ステップと、
を有することを特徴とする運動回数計測方法。
＜請求項６＞
運動する被写体を撮像する撮像手段を備えた運動回数計測装置のコンピュータを、
撮像手段により撮像された被写体のうちの予め定められている被写体部分のサイズを検出するサイズ検出手段と、
このサイズ検出手段により検出された被写体部分のサイズが記憶されている基準サイズと一致していない第１の状態と、前記基準サイズに一致した第２の状態との間の移行を検出する都度、前記被写体が運動を行った回数としてカウントする計測手段と、
として機能させることを特徴とするプログラム。
【符号の説明】
【００８６】
１００  運動回数計測装置
１      レンズ部（撮像手段）
２      電子撮像部（撮像手段）
３      撮像制御部
４      画像データ生成部
５      画像メモリ
６      画像処理部
６ａ    被写体検出部（サイズ検出手段）
６ｂ    動き検出部
７      表示制御部
８      表示部（表示手段）
９      記録媒体制御部
１０    操作入力部
１０ａ  シャッタボタン
１０ｂ  指示ボタン
１１    中央制御部（計測手段）
１２    ＲＡＭ
１２ａ  ＲＡＭマップ（記憶手段）
２０    スピーカ部
２１    電源ボタン
２２    顔枠
２３    表示部の外枠
２４    設定枠（第１の設定枠）
２５    第２の設定枠
【図１】
0005970890.tif 000002
【図２】
0005970890.tif 000003
【図３】
0005970890.tif 000004
【図４】
0005970890.tif 000005
【図５】
0005970890.tif 000006
【図６】
0005970890.tif 000007
【図７】
0005970890.tif 000008
【図８】
0005970890.tif 000009
【図９】
0005970890.tif 000010
【図１０】
0005970890.tif 000011
【図１１】
0005970890.tif 000012
【図１２】
0005970890.tif 000013
【図１３】
0005970890.tif 000014
【図１４】
0005970890.tif 000015
【図１５】
0005970890.tif 000016
【図１６】
0005970890.tif 000017